(57)【要約】【課題】各種電子機器や自動車等の操作部に用いられるスイッチ装置、及びその製造方法に関し、組立てが容易で安価なものを提供することを目的とする。【解決手段】押釦１１に外周から突出する突起部１１Ａを設けると共に、この押釦１１が上下動可能に挿入されたカバー１２の貫通孔１２Ａ内周に、押釦１１の挿入時に突起部１１Ａが挿通する挿通溝１２Ｂと、押釦１１の押圧操作時に突起部１１Ａが摺動する、上端が閉じられたガイド溝１２Ｃを設けてスイッチ装置を構成し、挿通溝１２Ｂへ突起部１１Ａを挿入してばね１３を撓めながら押釦１１を貫通孔１２Ａに挿通させた後、押釦１１を回転し突起部１１Ａをガイド溝１２Ｃへ挿入して、このカバー１２及びばね１３が一体となった押釦１１下方へ、プッシュスイッチ１４を装着する。【選択図】  図１
2004273199.tif 000002
【特許請求の範囲】
【請求項１】
押釦と、この押釦が貫通孔内に上下動可能に挿入されたカバーと、上記押釦を上方へ付勢するばねと、上記押釦下面に操作体が押圧されて電気的接離を行うプッシュスイッチからなり、上記押釦に外周から突出する突起部を設けると共に、上記カバーの貫通孔内周に、上記押釦の挿入時に上記突起部が挿通する挿通溝と、上記押釦の押圧操作時に上記突起部が摺動する、上端が閉じられたガイド溝を設けたスイッチ装置。
【請求項２】
押釦に複数の突起部を設けると共に、カバーの貫通孔内周に、これに対応する複数の挿通溝とガイド溝を設けた請求項１記載のスイッチ装置。
【請求項３】
プッシュスイッチをカバーで保持した請求項１記載のスイッチ装置。
【請求項４】
押釦上端とカバーの間にばねを装着し、このばねを撓めながら上記押釦を、上方から上記カバーの貫通孔内に挿通溝へ突起部を挿入して挿通させた後、上記カバー下面から上記突起部が突出した状態で上記押釦を回転し、上記突起部をガイド溝へ挿入した後、上記押釦下方へプッシュスイッチを装着する請求項１記載のスイッチ装置の製造方法。
【発明の詳細な説明】
【０００１】
【発明の属する技術分野】
本発明は、各種電子機器や自動車等の操作部に用いられるスイッチ装置及びその製造方法に関するものである。
【０００２】
【従来の技術】
近年、機器の操作においては、押釦を介してスイッチを押圧操作するプッシュ方式が広く使用されているが、特に自動車の車室照明用等の、押釦の形状が比較的大きなものにおいては、押圧操作によってスイッチの電気的接離状態は切換わるが、押釦は常に操作前の状態に戻るように構成されたものが多く用いられている。
【０００３】
このような従来のスイッチ装置について、図６を用いて説明する。
【０００４】
図６は従来のスイッチ装置の断面図であり、同図において、１は絶縁樹脂製の押釦、２は機器の筐体で、押釦１の上端が筐体２に設けられた貫通孔２Ａから上下動可能に、上方へやや突出して配置されている。
【０００５】
また、３は操作体３Ａが上方へ突出したプッシュスイッチ、４は上下面に複数の配線パターン（図示せず）が形成された配線基板で、プッシュスイッチ３の端子３Ｂが半田付け等によって配線基板４の配線パターンに接続され、機器の電子回路（図示せず）等に接続されている。
【０００６】
なお、このプッシュスイッチ３内部には、ストッパとカムからなるロック機構やスイッチ接点（いずれも図示せず）が形成され、操作体３Ａ上端を下方へ押圧操作した後、指を一旦離すと、操作体３Ａがロックされて所定の位置で停止し、さらにもう一回押圧操作すると最初の位置に復帰すると共に、各々の位置でスイッチ接点がＯＮまたはＯＦＦ状態を保つように構成されている。
【０００７】
そして、５はコイル状のばねで、このばね５がやや撓んだ状態で押釦１下面とプッシュスイッチ３の間に装着され、押釦１を上方へ付勢してスイッチ装置が構成されている。
【０００８】
以上の構成において、指で押釦１を下方へ押圧操作すると、押釦１がばね５を撓めながら下方へ移動し、ばね５を介して押釦１下面がプッシュスイッチ３の操作体３Ａ上端を押圧するため、操作体３Ａが下方へ移動して、スイッチ接点の電気的接離、例えばＯＦＦ状態からＯＮ状態への切換えが行われる。
【０００９】
そして、押釦１から指を離すと、押釦１は下面をばね５に押圧されて最初の位置に復帰するが、操作体３Ａは上記したように、所定の位置でロックされて停止し、プッシュスイッチ３のスイッチ接点はＯＮ状態のまま保持される。
【００１０】
次に、押釦１をもう一回押圧操作すると、押釦１が下方へ移動して操作体３Ａ上端を再び押圧するため、操作体３Ａのロックが解除される。
【００１１】
そして、再び指を離すと、今度は押釦１と共に操作体３Ａも最初の位置に復帰し、プッシュスイッチ３のスイッチ接点も最初のＯＦＦ状態となる。
【００１２】
このように、押釦１下面とロック機構付きのプッシュスイッチ３の間にばね５を装着することによって、押圧操作毎にスイッチ接点の電気的接離状態は切換わるが、押釦１は常に操作前の最初の状態に戻るようにして、スイッチ装置が構成されているものであった。
【００１３】
なお、この出願の発明に関連する先行技術文献情報としては、例えば、特許文献１が知られている。
【００１４】
【特許文献１】
実開平４−５９０２７号公報
【００１５】
【発明が解決しようとする課題】
しかしながら、上記従来のスイッチ装置においては、機器の組立ての際に、押釦１下面と配線基板４に取付けられたプッシュスイッチ３の間に、ばね５を撓めながら装着する必要があるため、ばね５の外れ等が生じ易く、組立てに手間がかかるという課題があった。
【００１６】
本発明は、このような従来の課題を解決するものであり、組立てが容易で安価なスイッチ装置、及びその製造方法を提供することを目的とする。
【００１７】
【課題を解決するための手段】
上記目的を達成するために本発明は、以下の構成を有するものである。
【００１８】
本発明の請求項１に記載の発明は、押釦に外周から突出する突起部を設けると共に、この押釦が上下動可能に挿入されたカバーの貫通孔内周に、押釦の挿入時に突起部が挿通する挿通溝と、押釦の押圧操作時に突起部が摺動する、上端が閉じられたガイド溝を設けてスイッチ装置を構成したものであり、挿通溝へ突起部を挿入してばねを撓めながら押釦をカバーに挿通させた後、押釦を回転し突起部をガイド溝へ挿入して押釦をカバーに仮保持させ、このカバー及びばねが一体となった押釦下方へ、プッシュスイッチを装着して組立てを行うように構成されているため、ばねの外れ等が生じにくく、組立てが容易で安価なスイッチ装置を得ることができるという作用を有する。
【００１９】
請求項２に記載の発明は、請求項１記載の発明において、押釦に複数の突起部を設けると共に、カバーの貫通孔内周に、これに対応する複数の挿通溝とガイド溝を設けたものであり、複数の突起部、及び複数の挿通溝とガイド溝によって、組立て時にはさらにばねの外れ等が生じにくくなると共に、押釦のがたつきや傾きがなく、操作感触を良好なものとすることができるという作用を有する。
【００２０】
請求項３に記載の発明は、請求項１記載の発明において、プッシュスイッチをカバーで保持したものであり、プッシュスイッチ上面を覆う蓋体等が不要となるため、スイッチ装置全体として使用部品数を減らすことができ、安価なものを得ることができるという作用を有する。
【００２１】
請求項４に記載の発明は、押釦上端とカバーの間にばねを装着し、このばねを撓めながら押釦を上方からカバーの貫通孔内に、挿通溝へ突起部を挿入して挿通させた後、カバー下面から突起部が突出した状態で押釦を回転し、突起部をガイド溝へ挿入した後、押釦下方へプッシュスイッチを装着する請求項１記載のスイッチ装置の製造方法であり、組立てが容易で安価なスイッチ装置を実現することができるという作用を有する。
【００２２】
【発明の実施の形態】
以下、本発明の実施の形態について、図１〜図５を用いて説明する。
【００２３】
（実施の形態）
図１は本発明の一実施の形態によるスイッチ装置の断面図、図２は同分解斜視図であり、同図において、１１は略円柱状で絶縁樹脂製の押釦で、この外周下方の対称位置には、外方へ突出する複数の突起部１１Ａが設けられている。
【００２４】
また、１２は同じく絶縁樹脂製のカバーで、中央の貫通孔１２Ａ内周の対称位置には、カバー１２の上面から下面まで貫通する複数の挿通溝１２Ｂが設けられると共に、これと直交方向の対称位置には、上端が閉じられた複数のガイド溝１２Ｃが設けられている。
【００２５】
そして、１３はコイル状のばねで、このばね１３が押釦１１上端の操作部１１Ｂとカバー１２上面との間にやや撓んだ状態で装着されて、貫通孔１２Ａ内に上下動可能に挿入された押釦１１を上方へ付勢すると共に、押釦１１の複数の突起部１１Ａがガイド溝１２Ｃ上端に当接して、押釦１１がカバー１２に係止されている。
【００２６】
さらに、１４は押釦１１下面に操作体１５が押圧されて電気的接離を行うプッシュスイッチで、箱状で絶縁樹脂製のケース１６内に、絶縁樹脂製の操作体１５が上下動可能に収納されると共に、この操作体１５にはハート状のカム溝１５Ａが形成され、両側面には導電金属製の可動接点１７が装着されている。
【００２７】
そして、ケース１６内には、端子１８Ａがケース１６底面から突出し、可動接点１７の移動によって電気的接離が行われる複数の固定接点１８が植設されると共に、一端がカム溝１５Ａ内を摺動して操作体１５をロックさせる、略コの字状で金属製のストッパ１９や、操作体１５を上方へ付勢するばね２０が収納されている。
【００２８】
また、このプッシュスイッチ１４のケース１６側面に設けられた爪部１６Ａに、カバー１２の係合孔１２Ｄが嵌め込まれ、カバー１２下面にプッシュスイッチ１４が保持されて、スイッチ装置が構成されている。
【００２９】
そして、このスイッチ装置が、機器の筐体の貫通孔（図示せず）から、押釦１１上端の操作部１１Ｂを上方へやや突出させ、機器の電子回路（図示せず）等に接続された配線基板の配線パターン（図示せず）に、端子１８Ａが半田付け等によって接続されて、機器に装着される。
【００３０】
次に、このように構成されたスイッチ装置の製造方法について、図３の分解斜視図を用いて説明する。
【００３１】
なお、図３は説明を判り易くするために、図１や図２とは逆方向の、カバー１２を裏面から見た、下方向視で表わしている。
【００３２】
先ず、図３（ａ）に示すように、操作部１１Ｂ上方にばね１３を装着した押釦１１を、複数の突起部１１Ａをカバー１２の上下面に貫通する複数の挿通溝１２Ｂに挿入し、カバー１２表面との間でばね１３を撓めながら、貫通孔１２Ａ内に挿通する。
【００３３】
続いて、図３（ｂ）に示すように、突起部１１Ａが挿通溝１２Ｂを通り抜け、カバー１２裏面から突起部１１Ａが突出した状態とし、この状態から、ガイド溝１２Ｃの方向に向けて押釦１１を回転する。
【００３４】
そして、図３（ｃ）に示すように、突起部１１Ａがガイド溝１２Ｃに挿入された状態で、押釦１１から手を離すと、ばね１３の弾性復帰力によって突起部１１Ａがガイド溝１２Ｃ内を摺動し、突起部１１Ａがガイド溝１２Ｃの閉じられた下端に当接して、押釦１１がばね１３を装着した状態でカバー１２に係止される。
【００３５】
つまり、この状態で、押釦１１は、操作部１１Ｂとカバー１２上面との間でばね１３を撓め、かつ突起部１１Ａがガイド溝１２Ｃ端部に当接して、カバー１２と一体となった状態で保持されている。
【００３６】
最後に、ケース１６内に操作体１５や可動接点１７、ストッパ１９等が組込まれたプッシュスイッチ１４の、ケース１６側面の爪部１６Ａをカバー１２の係合孔１２Ｄへ嵌め込み、カバー１２にプッシュスイッチ１４を保持して、スイッチ装置が完成する。
【００３７】
以上の構成において、図１に示した状態から、押釦１１の操作部１１Ｂ上面を指で下方へ押圧操作すると、図４の断面図に示すように、押釦１１がカバー１２上面との間でばね１３を撓めながら下方へ移動し、押釦１１下面がプッシュスイッチ１４の操作体１５上端を押圧するため、操作体１５がケース１６内を下方へ移動して、スイッチ接点の電気的接離、例えば、可動接点１７が複数の固定接点１８の間に接触して、ＯＦＦ状態からＯＮ状態への切換えが行われる。
【００３８】
また、同時に、ストッパ１９の一端が相対的に操作体１５のカム溝１５Ａ内を摺動し、所定のロック位置へ移動すると共に、操作体１５下面がケース１６底面に当接して、押釦１１が最も下方へ押圧された状態となる。
【００３９】
なお、この時、ガイド溝１２Ｃ内に挿入された突起部１１Ａは、押釦１１下面が操作体１５上面に当接し、押釦１１を最も下方へ押圧した状態でも、ガイド溝１２Ｃ内から外れないように構成されている。
【００４０】
そして、押釦１１から指を離すと、図５の断面図に示すように、押釦１１は操作部１１Ｂ下面をばね１３に押圧されて最初の位置に復帰するが、操作体１５はカム溝１５Ａ内を所定の位置へ移動したストッパ１９によって、所定の位置でロックされ停止して、押釦１１下面は操作体１５上端から離れ、プッシュスイッチ１４のスイッチ接点はＯＮ状態のまま保持される。
【００４１】
次に、押釦１１をもう一回押圧操作すると、押釦１１が下方へ移動して下面が操作体１５上端を再び押圧するため、操作体１５が下面をケース１６底面に当接させるまで移動すると共に、これと同時に、ストッパ１９の一端がカム溝１５Ａ内を摺動し、所定のロック位置から外れる。
【００４２】
そして、押釦１１から再び指を離すと、押釦１１がばね１３の弾性復帰力によって最初の位置に復帰すると共に、ロックが解除された操作体１５もばね２０によって最初の位置に復帰し、可動接点１７も固定接点１８から離れ、プッシュスイッチ１４のスイッチ接点もＯＦＦ状態となった。図１に示したような、最初の状態に復帰する。
【００４３】
つまり、押釦１１の押圧操作毎にプッシュスイッチ１４の電気的接離の状態は切換わるが、押釦１１は常に操作前の最初の状態に戻るようにして、スイッチ装置が構成されている。
【００４４】
このように本実施の形態によれば、押釦１１に外周から突出する突起部１１Ａを設けると共に、この押釦１１が上下動可能に挿入されたカバー１２の貫通孔１２Ａ内周に、押釦１１の挿入時に突起部１１Ａが挿通する挿通溝１２Ｂと、押釦１１の押圧操作時に突起部１１Ａが摺動する、上端が閉じられたガイド溝１２Ｃを設けてスイッチ装置を構成し、挿通溝１２Ｂへ突起部１１Ａを挿入してばね１３を撓めながら押釦１１を貫通孔１２Ａに挿通させた後、押釦１１を回転し突起部１１Ａをガイド溝１２Ｃへ挿入して、このカバー１２及びばね１３が一体となった押釦１１下方へ、プッシュスイッチ１４を装着して組立てを行うことによって、ばね１３の外れ等が生じにくく、組立てが容易で安価なスイッチ装置、及びその製造方法を得ることができるものである。
【００４５】
また、押釦１１に複数の突起部１１Ａを設けると共に、カバー１２の貫通孔１２Ａ内周に、これに対応する複数の挿通溝１２Ｂとガイド溝１２Ｃを設けることによって、組立て時にはさらにばね１３の外れ等が生じにくくなると共に、押釦１１のがたつきや傾きがなく、操作感触の良好なスイッチ装置を得ることができる。
【００４６】
さらに、ケース１６側面の爪部１６Ａとカバー１２の係合孔１２Ｄ等を用いて、プッシュスイッチ１４をカバー１２で保持することによって、プッシュスイッチ上面を覆う蓋体等が不要となるため、スイッチ装置全体として使用部品数を減らすことができ、さらに安価なものとすることができる。
【００４７】
なお、以上の説明では、カバー１２でプッシュスイッチ１４を保持し、押釦１１とカバー１２及びばね１３に加え、プッシュスイッチ１４も一体とした構成として説明したが、押釦１１とカバー１２及びばね１３を一体としたものと、単体のプッシュスイッチを組合わせる構成としたり、機器の筐体等に挿通溝１２Ｂやガイド溝１２Ｃを設け、これに押釦１１とばね１３を組立てる構成としても、本発明の実施は可能である。
【００４８】
【発明の効果】
以上のように本発明によれば、組立てが容易で安価なスイッチ装置、及びその製造方法を得ることができるという有利な効果が得られる。
【図面の簡単な説明】
【図１】本発明の一実施の形態によるスイッチ装置の断面図
【図２】同分解斜視図
【図３】同製造方法を示す分解斜視図
【図４】同押圧操作時の断面図
【図５】同ロック時の断面図
【図６】従来のスイッチ装置の断面図
【符号の説明】
１１  押釦
１１Ａ  突起部
１１Ｂ  操作部
１２  カバー
１２Ａ  貫通孔
１２Ｂ  挿通溝
１２Ｃ  ガイド溝
１２Ｄ  係合孔
１３  ばね
１４  プッシュスイッチ
１５  操作体
１５Ａ  カム溝
１６  ケース
１６Ａ  爪部
１７  可動接点
１８  固定接点
１８Ａ  端子
１９  ストッパ
２０  ばね
【図１】
2004273199.tif 000003
【図２】
2004273199.tif 000004
【図３】
2004273199.tif 000005
【図４】
2004273199.tif 000006
【図５】
2004273199.tif 000007
【図６】
2004273199.tif 000008